(57)【特許請求の範囲】
【請求項１】
車両周辺を視認するための視認用画像を表示する表示部と、
前記視認用画像の視認範囲の変更を指示する指示部と、
車両周辺を撮影した撮影画像の一部の範囲の部分画像を前記視認用画像として表示し、かつ前記指示部によって前記視認用画像の視認範囲の変更が指示された場合に、前記部分画像よりも広い範囲の広範囲画像を表示すると共に、前記広範囲画像中の前記部分画像に対応する範囲を表す範囲指定画像を表示するように前記表示部を制御する制御部と、
を備え、
前記制御部は、前記指示部の指示に応じて前記範囲指定画像を移動し、前記指示部による指示が予め定めた時間内にない場合、及び前記指示部によって指示終了が指示された場合のそれぞれの場合に、前記指示部の指示終了と判断し、前記指示部の指示終了後に、移動後の前記範囲指定画像に対応する前記部分画像を前記視認用画像として表示するように前記表示部を制御する車両用視認装置。
【請求項２】
前記広範囲画像は、前記撮影画像全体である請求項１に記載の車両用視認装置。
【請求項３】
前記制御部は、前記広範囲画像を表示する際に、表示する範囲を前記部分画像の範囲から段階的に広くして前記広範囲画像を表示するように前記表示部を制御する請求項１又は請求項２に記載の車両用視認装置。
【請求項４】
前記制御部は、前記指示部の指示終了後に、移動後の前記範囲指定画像に対応する前記部分画像を前記視認用画像として表示する際に、表示する範囲を前記広範囲画像の範囲から前記部分画像の範囲まで段階的に狭くして前記視認用画像を表示するように前記表示部を制御する請求項１に記載の車両用視認装置。
【発明の詳細な説明】
【技術分野】
【０００１】
本発明は、車両周辺を撮影して撮影画像を表示することにより車両周辺を視認する車両用視認装置に関する。
【背景技術】
【０００２】
車両周辺の撮影画像を表示して車両周辺を視認する車両用視認装置を光学ミラーの代わりとして車両に搭載する技術が知られている。
【０００３】
このような車両用視認装置では、カメラ等によって撮影することで得られる撮影画像のうちの一部の部分画像を表示して、光学ミラーのような視認性を提供するものがある。部分画像を表示するので、視認範囲を変更する場合には、撮影画像から部分画像を切り出す位置を変更することで視認範囲を変更することができる。
【０００４】
しかしながら、視認範囲を変更する際に元からどの程度ずれたかや、変更可能な視認範囲等を認識し難い、という問題がある。
【０００５】
そこで、特許文献１では、撮影画像の範囲を示す枠線、及び切り出した画像の範囲を示す枠線をインジケータとして、切り出した部分画像と共に表示するようにしている。インジケータを表示することで、変更した視認範囲が元からどの程度ずれたかや、変更可能な視認範囲等をインジケータにより容易に認識することができる。
【先行技術文献】
【特許文献】
【０００６】
【特許文献１】特開２０１０−１６３１０４号公報
【発明の概要】
【発明が解決しようとする課題】
【０００７】
しかしながら、特許文献１では、視認範囲を変更する際に、インジケータにより切り出す範囲が撮影画像のどの範囲であるか大まかに認識することができるが、実際の撮影画像上のどの部分であるかが明確でないため、改善の余地がある。
【０００８】
本発明は、上記事実を考慮して成されたもので、視認範囲を変更する際に、表示する部分画像の撮影画像に対する位置を明確化することを目的とする。
【課題を解決するための手段】
【０００９】
上記目的を達成するために請求項１に記載の発明は、車両周辺を視認するための視認用画像を表示する表示部と、前記視認用画像の視認範囲の変更を指示する指示部と、車両周辺を撮影した撮影画像の一部の範囲の部分画像を前記視認用画像として表示し、かつ前記指示部によって前記視認用画像の視認範囲の変更が指示された場合に、前記部分画像よりも広い範囲の広範囲画像を表示すると共に、前記広範囲画像中の前記部分画像に対応する範囲を表す範囲指定画像を表示するように前記表示部を制御する制御部と、を備え、前記制御部は、前記指示部の指示に応じて前記範囲指定画像を移動し、前記指示部による指示が予め定めた時間内にない場合、及び前記指示部によって指示終了が指示された場合のそれぞれの場合に、前記指示部の指示終了と判断し、前記指示部の指示終了後に、移動後の前記範囲指定画像に対応する前記部分画像を前記視認用画像として表示するように前記表示部を制御する。
【００１０】
請求項１に記載の発明によれば、表示部には、車両周辺を視認するための視認用画像が表示され、視認用画像によって車両周辺を視認することが可能とされている。また、視認用画像の視認範囲は、指示部によって変更を指示することができる。
【００１１】
そして、制御部では、車両周辺を撮影した撮影画像の一部の範囲の部分画像を視認用画像として表示するように表示部が制御される。また、制御部では、指示部によって視認用画像の視認範囲の変更が指示された場合に、部分画像よりも広い範囲の広範囲画像を表示する共に、広範囲画像中の部分画像に対応する範囲を表す範囲指定画像を表示するように表示部が制御される。これにより、視認範囲を変更する際に、広範囲画像と部分画像に対応する範囲指定画像を表示するので、表示する部分画像の撮影画像に対する位置を明確化することができる。
【００１２】
また、制御部は、指示部の指示に応じて範囲指定画像を移動し、指示部の指示終了後に、移動後の範囲指定画像に対応する部分画像を視認用画像として表示するように表示部を制御する。これにより、指示部によって変更された部分画像の範囲を随時確認することが可能となり、視認範囲の変更終了後には変更された部分画像のみを表示することが可能となる。
【００１３】
なお、広範囲画像としては、請求項２に記載の発明のように、撮影画像全体を適用してもよい。これにより、視認範囲を変更する際に撮影画像全体に対する部分画像の位置を認識することができる。
【００１４】
また、制御部は、請求項３に記載の発明のように、広範囲画像を表示する際に、表示する範囲を部分画像の範囲から段階的に広くして広範囲画像を表示するように表示部を制御してもよい。これにより、部分画像から広域画像に表示する画像を変更する際にズームアウトするような視覚的効果を与えることができる。
【００１５】
また、制御部は、請求項４に記載の発明のように、指示部の指示終了後に、移動後の範囲指定画像に対応する部分画像を視認用画像として表示する際に、表示する範囲を広範囲画像の範囲から部分画像の範囲まで段階的に狭くして視認用画像を表示するように表示部を制御してもよい。これにより、広範囲画像から部分画像に表示する画像を変更する際にズームインするような視覚的効果を与えることができる。
【００１６】
また、制御部は、指示部による指示が予め定めた時間内にない場合、及び指示部によって指示終了が指示された場合のそれぞれの場合に、指示部の指示終了と判断する。これにより、視認範囲の変更の終了を判断することが可能となる。
【発明の効果】
【００１７】
以上説明したように本発明によれば、視認範囲を変更する際に、表示する部分画像の撮影画像に対する位置を明確化することができる、という効果がある。
【図面の簡単な説明】
【００１８】
【図１】（Ａ）は本発明の実施の形態に係る車両用視認装置の車両搭載位置例を示す図であり、（Ｂ）は車両用視認装置の概略構成を示す図である。
【図２】本実施形態に係る車両用視認装置の制御系の構成を示すブロック図である。
【図３】撮影画像から生成する視認用画像を説明するための図である。
【図４】視認範囲の変更が指示された場合の視認用画像の一例を示す図である。
【図５】視認範囲の変更後の視認用画像の一例を示す図である。
【図６】視認範囲を変更する際に、段階的に表示する範囲を広くする例を説明するための図である。
【図７】視認範囲の変更を終了する際に、段階的に表示する範囲を狭くする例を説明するための図である。
【図８】本実施形態に係る車両用視認装置の制御装置で行われる処理の流れの一例を示すフローチャートである。
【発明を実施するための形態】
【００１９】
以下、図面を参照して本発明の実施の形態の一例を詳細に説明する。図１（Ａ）は、本発明の実施の形態に係る車両用視認装置の車両搭載位置例を示す図であり、図１（Ｂ）は車両用視認装置の概略構成を示す図である。
【００２０】
本実施形態に係る車両用視認装置１０は、後側方カメラ１２、表示部としてのモニタ１４、指示部としての操作部１６、及び制御部としての制御装置１８が車両の左右に対応してそれぞれ設けられている。
【００２１】
後側方カメラ１２は、車両のサイドドア（フロントサイドドア、図示省略）の上下方向中間部の車両前側端に外側に設置されて車両後側方を撮影する。後側方カメラ１２は、支持体としての略直方体形箱状の筐体１３に設けられており、レンズが車両後側方に向けて配置され、車両の後側方を撮影する。筐体１３の車幅方向内側端部は、サイドドアに取付けられており、筐体１３がサイドドア（車体側）に車両前後方向に回動可能に支持されている。なお、筐体１３は、サイドドアではなく、フロントフェンダ等の他の位置に取り付ける形態としてもよい。
【００２２】
モニタ１４は、フロントピラーの下端付近に設けられ、後側方カメラ１２の撮影画像を視認用画像として主に表示する。すなわち、アウターミラーの代わりとされ、モニタ１４を確認することにより、車両周辺としての車両後側方を視認することができる。モニタ１４は、車両の左右に対応してそれぞれ設けられている。
【００２３】
操作部１６は、モニタ１４に表示される画像の表示位置、すなわち、後側方の視認範囲の変更の指示等を行う。操作部１６は、例えば、視認範囲の車幅方向への変更指示や、車両上下方向への変更指示等を行うためのスイッチやセンサや、視認範囲を変更する対象のモニタ１４（左または右）を指示するためのスイッチ等を備える。具体的には、視認範囲を変更するモニタ１４に対応する方向を指示するための左スイッチ１６Ｌ及び右スイッチ１６Ｒと、変更方向を指示するための方向指示部１６Ｓと、を含む。
【００２４】
制御装置１８は、車両の左右のそれぞれに対応して設けられており、左右各々の後側方カメラ１２の撮影画像の表示制御を行う。なお、制御装置１８は、後退時に車両後側方の視認範囲を変更して車両側方下側の障害物を視認し易くする後退連動制御や、方向指示器の操作に連動して視認範囲を変更して車両後側方を視認し易くする旋回連動制御等を更に行うようにしてもよい。
【００２５】
続いて、本実施形態に係る車両用視認装置１０の制御系の構成について説明する。図２は、本実施形態に係る車両用視認装置１０の制御系の構成を示すブロック図である。
【００２６】
制御装置１８は、ＣＰＵ１８Ａ、ＲＯＭ１８Ｂ、ＲＡＭ１８Ｃ、及びＩ／Ｏ（入出力インタフェース）１８Ｄがそれぞれバス１８Ｅに接続されたマイクロコンピュータで構成されている。
【００２７】
ＲＯＭ１８Ｂには、後側方カメラ１２の後側方撮影画像をモニタ１４に表示するための表示制御を行うための車両用視認制御プログラム等の各種プログラムが記憶されている。ＲＯＭ１８Ｂに記憶されたプログラムをＲＡＭ１８Ｃに展開してＣＰＵ１８Ａが実行することにより、モニタ１４への表示制御が行われる。
【００２８】
Ｉ／Ｏ１８Ｄには、視認範囲の変更等を指示するための操作部１６、後側方カメラ１２、及びモニタ１４が接続されている。
【００２９】
操作部１６は、後側方の視認範囲の変更の指示等が乗員によって行われると、変更指示信号を制御装置１８に出力する。操作部１６は、具体的には、図１（Ｂ）に示す上述の左スイッチ１６Ｌ、右スイッチ１６Ｒ、及び方向指示部１６Ｓが接続されている。すなわち、左スイッチ１６Ｌまたは右スイッチ１６Ｒによって視認範囲を変更するモニタ１４に対応する方向（左または右）を指示し、方向指示部１６Ｓによって視認範囲の変更方向（車幅方向及び車両上下方向）を指示する。
【００３０】
後側方カメラ１２は、車両後側方を撮影することによって後側方撮影画像を得る。撮影によって得られた後側方撮影画像は、後側方カメラ１２の撮影結果として制御装置１８に出力する。
【００３１】
モニタ１４は、後側方カメラ１２によって撮影された後側方撮影画像を制御装置１８の制御に従って表示する。
【００３２】
そして、制御装置１８は、後側方カメラ１２の撮影結果に基づいて、モニタ１４への表示制御を行うと共に、操作部１６によって後側方の視認範囲の変更が指示された場合に、モニタ１４の表示位置（後側方の視認範囲）を変更する制御を行う。
【００３３】
なお、制御装置１８は、１つの制御装置１８で左右のモニタ１４の表示制御を行ってもよいし、車両の左右に対応して一対設けられてもよい。左右に対応して一対の制御装置１８を設ける場合には、それぞれ相互通信可能なようにそれぞれのＩ／Ｏ１８Ｄに他方の制御装置１８を接続してもよい。
【００３４】
ここで、制御装置１８によるモニタ１４への後側方カメラ１２の撮影画像の表示方法について詳細に説明する。図３は、撮影画像３０から生成する視認用画像を説明するための図である。
【００３５】
本実施形態に係る車両用視認装置１０では、図３に示すように、後側方カメラ１２によって車両の後側方を撮影し、撮影によって得られる撮影画像３０から図３の点線で示す部分画像３２を切り出す。そして、切り出した部分画像３２を視認用画像３４としてモニタ１４に表示する。すなわち、本実施形態に係る車両用視認装置１０では、撮影画像３０の一部の部分画像３２を表示するため、切り出す位置を変更することで、視認範囲の変更が可能とされている。視認範囲の変更は、操作部１６を操作することで行われる。具体的には、視認範囲を変更する方向（左または右）を左スイッチ１６Ｌまたは右スイッチ１６Ｒの操作により選択して、方向指示部１６Ｓを操作することで視認範囲の変更方向（車幅方向及び車両上下方向）を指示する。これにより、制御装置１８が、撮影画像３０の現在の部分画像３２の位置から操作部１６によって操作された方向に切り出す部分画像３２の位置を変更してモニタ１４に表示する。
【００３６】
しかしながら、視認範囲の変更を行う際に、視認範囲の変更に応じて切り出した部分画像３２のみを表示したのでは、撮影画像３０全体に対してどこを切り出して表示しているかが分り難いため、切出し範囲の明確化が望まれる。
【００３７】
そこで、本実施形態では、操作部１６によって視認範囲の変更が指示された場合、モニタ１４に表示された部分画像３２よりも広い範囲の広範囲画像をモニタ１４に表示すると共に、広範囲画像中の部分画像３２に対応する範囲を表す範囲指定画像を表示する。
【００３８】
具体的には、操作部１６によって視認範囲の変更が指示された場合、図４に示すように、広範囲画像の一例として撮影画像３０全体を表示すると共に、撮影画像３０中の切り出す部分画像３２に対応する枠画像３６を表示することで視認用画像３４を表示する。これにより、実際の撮影画像３０の切出し範囲を明確化することができ、撮影画像３０のどこを切り出して表示しているかを容易に認識することができる。なお、図４は、視認範囲の変更が指示された場合の視認用画像３４の一例を示す図である。また、図４における実線の部分画像３２及び枠画像３６は、視認範囲の変更前を示し、点線は視認範囲の変更後を示す。
【００３９】
そして、視認範囲の変更指示が終了した場合には、操作部１６によって指示された方向に移動した枠画像３６に対応する位置の部分画像３２を切り出し、図５に示すように、視認用画像３４としてモニタ１４に表示する。なお、視認範囲の変更指示の終了は、操作部１６への操作が予め定めた時間ない場合、及び操作部１６によって指示終了が指示された場合の少なくとも一方の場合に、視認範囲の変更指示の終了と判断してもよい。例えば、操作部１６によって視認範囲の変更を指示する再操作（例えば、左スイッチ１６Ｌまたは右スイッチ１６Ｒを再度操作する等）が行われたか否かを判定してもよい。或いは、操作部１６への操作が行われない時間が、予め定めた時間経過したか否かを判定してもよい。また、図５は、視認範囲の変更後の視認用画像３４の一例を示す図である。
【００４０】
なお、視認範囲の変更が指示されて、部分画像３２から撮影画像３０を表示する際に、表示する範囲を現在表示された部分画像３２の範囲から段階的に広くし、表示サイズに合うように縮小した視認用画像３４を表示してもよい。例えば、図６に示す一点鎖線で示す広範囲画像３８を縮小して視認用画像３４として表示した後に、撮影画像３０全体を視認用画像３４として縮小して表示することで、段階的に表示する範囲を広くしてもよい。これにより、部分画像から広域画像に表示する視認用画像３４を変更する際にズームアウトするような視覚的効果を与えることができる。図６は、視認範囲を変更する際に、段階的に表示する範囲を広くする例を説明するための図である。
【００４１】
また、視認範囲の変更を終了する際には、表示する範囲を撮影画像３０の範囲から部分画像３２の範囲まで段階的に狭くした視認用画像３４を表示してもよい。例えば、図７の一点鎖線で示す広範囲画像３８を縮小して視認用画像３４として表示した後に、選択された部分画像３２を視認用画像３４として表示することで、段階的に表示する範囲を狭くしてもよい。これにより、広範囲画像から部分画像に表示する視認用画像３４を変更する際にズームインするような視覚的効果を与えることができる。図７は、視認範囲の変更を終了する際に、段階的に表示する範囲を狭くする例を説明するための図である。
【００４２】
続いて、上述のように構成された本実施形態に係る車両用視認装置１０の制御装置１８で行われる具体的な処理について説明する。図８は、本実施形態に係る車両用視認装置１０の制御装置１８で行われる処理の流れの一例を示すフローチャートである。なお、図８の処理は、図示しないイグニッションスイッチがオンされた場合に開始し、オフされた場合に終了するものとして説明する。また、図８の処理は、ＲＯＭ１８Ｂに記憶された車両用視認制御プログラムをＣＰＵ１８ＡがＲＡＭ１８Ｃに展開して実行することにより行われる。
【００４３】
まず、ステップ１００では、ＣＰＵ１８Ａが、後側方カメラ１２によって撮影された撮影画像を取得開始してステップ１０２へ移行する。すなわち、後側方カメラ１２の撮影結果を順次取得する。
【００４４】
ステップ１０２では、ＣＰＵ１８Ａが、撮影画像３０から部分画像３２を切り出してステップ１０４へ移行する。なお、この時の部分画像は撮影画像中の予め定めたデフォルトの位置の部分画像でもよいし、ＩＧオフ前に前回指示された位置の部分画像でもよい。
【００４５】
ステップ１０４では、ＣＰＵ１８Ａが、切り出した部分画像を鏡像変換して、図３に示すように、視認用画像３４としてモニタ１４に表示してステップ１０６へ移行する。なお、本実施形態では、切り出してから鏡像変換するが、鏡像変換してから切り出してもよい。
【００４６】
ステップ１０６では、ＣＰＵ１８Ａが、操作部１６が操作されて視認範囲の変更が指示されたか否かを判定する。該判定が肯定されるまで待機してステップ１０８へ移行する
【００４７】
ステップ１０８では、ＣＰＵ１８Ａが、部分画像３２より広い範囲の撮影画像３０を鏡像変換及び縮小して部分画像３２に対応する枠画像３６と共にモニタ１４に表示するように制御してステップ１１０へ移行する。すなわち、図４に示すように、撮影画像３０と部分画像３２に対応する枠画像３６が表示されるので、撮影画像３０のどの部分を切り出しているかを容易に認識することができる。
【００４８】
ステップ１１０では、ＣＰＵ１８Ａが、操作部１６の指示に応じて枠画像３６を移動してモニタ１４に表示するように制御してステップ１１２へ移行する。
【００４９】
ステップ１１２では、ＣＰＵ１８Ａが、視認範囲の変更指示が終了したか否かを判定する。該判定は、上述したように、視認範囲の変更を指示する再操作（例えば、左スイッチ１６Ｌまたは右スイッチ１６Ｒを再度操作する等）が行われたか否かを判定してもよい。或いは、操作部１６への操作が行われない時間が、予め定めた時間経過したか否かを判定してもよい。該判定が否定された場合にはステップ１１０に戻って上述の処理を切り返し、判定が肯定された場合にはステップ１１４へ移行する。
【００５０】
ステップ１１４では、ＣＰＵ１８Ａが、変更後（移動後の枠画像３６）に対応する部分画像３２を撮影画像３０から切り出して鏡像変換してモニタ１４に表示するように制御してステップ１０６に戻って上述の処理を繰り返す。
【００５１】
このように制御装置１８による制御を行うことで、視認画像を変更する際に、広域画像としての撮影画像３０を表示すると共に、部分画像３２に対応する枠画像３６を表示して、実際の撮影画像３０の切出し範囲を明確化することができる。従って、撮影画像３０のどこを切り出して表示しているかを容易に認識することができる。
【００５２】
なお、上記の実施形態では、撮影画像３０中の切り出す部分画像３２に対応する枠画像３６を表示する例を説明したが、部分画像３２に対応する範囲を表す範囲指定画像としては、これに限るものではない。部分画像３２の範囲が分かればよいので、例えば、範囲指定画像として、部分画像３２に対応する部分の角部分のみや枠の一部のみを表示してもよい。
【００５３】
また、上記の実施形態における制御装置１８で行われる処理は、ソフトウエアの処理として説明したが、これに限るものではない。例えば、ハードウエアで行う処理としてもよいし、ハードウエアとソフトウエアの双方を組み合わせた処理としてもよい。
【００５４】
また、上記の実施形態における制御装置１８で行われる処理は、プログラムとして記憶媒体に記憶して流通させるようにしてもよい。
【００５５】
さらに、本発明は、上記に限定されるものでなく、上記以外にも、その主旨を逸脱しない範囲内において種々変形して実施可能であることは勿論である。
【符号の説明】
【００５６】
１０    車両用視認装置
１２    後側方カメラ
１４    モニタ
１６    操作部
１８    制御装置
３０    撮影画像
３２    部分画像
３４    視認用画像
３６    枠画像
３８    広範囲画像
【図１】
0006602721.tif 000002
【図２】
0006602721.tif 000003
【図３】
0006602721.tif 000004
【図４】
0006602721.tif 000005
【図５】
0006602721.tif 000006
【図６】
0006602721.tif 000007
【図７】
0006602721.tif 000008
【図８】
0006602721.tif 000009